(57)【要約】      （修正有）【課題】透かしでは目視不能な隠しパターンを内包する真贋判定用カード及びその製造方法に関し、偽造困難であり、意匠性が高く、高いセキュリティ性を提供することを目的とする。【解決手段】有色（例えば赤色）のカラーコア層１２の一方面上の所定位置に当該層の色と異なる色（例えば黒色）の隠しパターン１３が設けられ、当該カラーコア層１２の一方面及び他方面の隠しパターン１３の位置に応じて覆うように銀色の第１銀隠蔽層１４Ａ及び第２銀隠蔽層１４Ｂをそれぞれ設け、当該第１銀隠蔽層１４Ａ上及び第２銀隠蔽層１４Ｂ上にそれぞれ白色の第１白隠蔽層１５Ａ及び第２白隠蔽層１５Ｂを設け、当該第１白隠蔽層１５Ａ上及び第２白隠蔽層１５Ｂ上にそれぞれ第１保護層１６Ａ及び第２保護層１６Ｂをそれぞれ設けた構成とする。【選択図】図１
2020157541.tif 000002
【特許請求の範囲】
【請求項１】
カード内に透かしでは目視不能な隠しパターンが設けられ、故意的な光照射による透過光で当該隠しパターンを目視認識させる真贋判定用カードであって、
全体的に有色の層であり、少なくとも一方面上の所定位置に当該層の色と異なる色の前記隠しパターンが設けられたカラーコア層と、
銀色の層であり、前記カラーコア層の前記隠しパターンが形成された一方面上の少なくとも当該隠しパターンを覆う位置に設けられた第１銀隠蔽層と、
銀色の層であり、前記カラーコア層の他方面上の少なくとも前記隠しパターンに対応する位置に設けられた第２銀隠蔽層と、
白色の層であり、少なくとも前記第１銀隠蔽層上に設けられた第１白隠蔽層と、
白色の層であり、少なくとも前記第２銀隠蔽層上に設けられた第２白隠蔽層と、
を有することを特徴とする真贋判定用カード。
【請求項２】
カード内に透かしでは目視不能な隠しパターンが設けられ、故意的な光照射による透過光で当該隠しパターンを目視認識させる真贋判定用カードの製造方法であって、
全体的に有色のカラーコア層上の少なくとも一方面上の所定位置に当該カラーコア層の色と異なる色の前記隠しパターンを形成する工程と、
前記カラーコア層の一方面上の少なくとも前記隠しパターンを覆う位置に銀色の第１銀隠蔽層を形成すると共に、他方面上の少なくとも前記隠しパターンに対応する位置に銀色の第２銀隠蔽層を形成する工程と、
少なくとも前記第１銀隠蔽層上に白色の第１白隠蔽層を形成すると共に、少なくとも前記第２銀隠蔽層上に白色の第２白隠蔽層を形成する工程と、
を含むことを特徴とする真贋判定用カードの製造方法。
【発明の詳細な説明】
【技術分野】
【０００１】
本発明は、透かしでは目視不能な隠しパターンを内包する真贋判定用カード及びその製造方法に関する。
【背景技術】
【０００２】
近年、偽造困難なクレジットカードなどのカードが種々知られている。このようなカードは偽造困難であり、意匠性が高く、高いセキュリティ性を有するものであることが望まれる。
【０００３】
従来、偽造困難なカードとして、特許文献１〜３などに記載されているものが知られている。特許文献１には、基板上に多層構造の部分的に欠部を設けた印刷層で部分的に重なる二次元領域の標識を形成させ、入射光及び透過光で当該標識を目視で認識させるカードが記載されている。
【０００４】
また、特許文献２には、センターコアシート層Ａ上に印刷によりパターンを白抜きのネガ状にベタ印刷し、その両面にセンターコアシート層Ｂ，Ｃをそれぞれラミネートしてそれぞれに透明オーバーシートをラミネートした構造のものとし、通常の状態では白抜きのパターンは肉眼で見えないが、透かして見ることで識別させるカードが記載されている。
【０００５】
また、特許文献３には、コアー層を構成する積層された２枚の白色樹脂層間に透かしとなる模様が暗色インキで印刷され、コアー層の一方の外面に磁気層が形成された透かし入りカードであり、光にかざすことによって当該模様を透かしとして認識させることが記載されている。
【先行技術文献】
【特許文献】
【０００６】
【特許文献１】特開昭５５−０９５５９５号公報
【特許文献２】特開昭５８−１６８４５７号公報
【特許文献３】特開２００６−１６７９５５号公報
【発明の概要】
【発明が解決しようとする課題】
【０００７】
しかしながら、特許文献１のカードでは、多層の層構造で模様を二次元領域で形成させることから偽造困難ではあるが、製造が複雑であり、光にかざすことで標識が認識されることから、特に模様が個人情報に関するものであるとセキュリティ性が十分でないという問題がある。また、特許文献２，３のカードにおいては、層構造が特許文献１に比べると簡易ではあるが、光にかざすことでパターンの模様が認識されることから、意匠性を損ない、また上記同様に模様が個人情報に関するものであるとセキュリティ性が十分でないという問題がある。なお、特許文献３などに設けられている磁気層を隠すための隠蔽層を設けたカードもあるが、磁気層を単に隠蔽するためのものであって真贋判定に用いて認識させるものではない。
【０００８】
そこで、本発明は上記課題に鑑みなされたもので、偽造困難であり、意匠性が高く、高いセキュリティ性の真贋判定用カード及びその製造を提供することを目的とする。
【課題を解決するための手段】
【０００９】
上記課題を解決するために、請求項１の発明では、カード内に透かしでは目視不能な隠しパターンが設けられ、故意的な光照射による透過光で当該隠しパターンを目視認識させる真贋判定用カードであって、全体的に有色の層であり、少なくとも一方面上の所定位置に当該層の色と異なる色の前記隠しパターンが設けられたカラーコア層と、銀色の層であり、前記カラーコア層の前記隠しパターンが形成された一方面上の少なくとも当該隠しパターンを覆う位置に設けられた第１銀隠蔽層と、銀色の層であり、前記カラーコア層の他方面上の少なくとも前記隠しパターンに対応する位置に設けられた第２銀隠蔽層と、白色の層であり、少なくとも前記第１銀隠蔽層上に設けられた第１白隠蔽層と、白色の層であり、少なくとも前記第２銀隠蔽層上に設けられた第２白隠蔽層と、を有する構成とする。
【００１０】
請求項２の発明では、カード内に透かしでは目視不能な隠しパターンが設けられ、故意的な光照射による透過光で当該隠しパターンを目視認識させる真贋判定用カードの製造方法であって、全体的に有色のカラーコア層上の少なくとも一方面上の所定位置に当該カラーコア層の色と異なる色の前記隠しパターンを形成する工程と、前記カラーコア層の一方面上の少なくとも前記隠しパターンを覆う位置に銀色の第１銀隠蔽層を形成すると共に、他方面上の少なくとも前記隠しパターンに対応する位置に銀色の第２銀隠蔽層を形成する工程と、少なくとも前記第１銀隠蔽層上に白色の第１白隠蔽層を形成すると共に、少なくとも前記第２銀隠蔽層上に白色の第２白隠蔽層を形成する工程と、を含む構成とする。
【発明の効果】
【００１１】
請求項１の発明によれば、有色のカラーコア層の少なくとも一方面上の所定位置に当該層の色と異なる色の隠しパターンが設けられ、当該カラーコア層の一方面及び他方面の少なくとも隠しパターンに応じた位置に銀色の第１銀隠蔽層及び第２銀隠蔽層を設け、当該第１銀隠蔽層上及び第２銀隠蔽層上に白色の第１白隠蔽層及び第２白隠蔽層を設けた構成とすることにより、カラーコア層が意匠性を高めて簡易な真贋判定をさせることができると共に、銀色の第１銀隠蔽層及び第２銀隠蔽層が隠しパターンに対して透かしでは目視不能とさせ、故意的な光照射の透過光で目視認識させることができ、偽造困難とさせ、かつ高いセキュリティ性を保持させることができるものである。
【００１２】
請求項２の発明によれば、全体的に有色のカラーコア層上の少なくとも一方面上の所定位置に当該カラーコア層の色と異なる色の隠しパターンを形成させ、当該カラーコア層の一方面上の少なくとも隠しパターンを覆う位置に銀色の第１銀隠蔽層を形成させると共に、他方面上の少なくとも隠しパターンに対応する位置に銀色の第２銀隠蔽層を形成させ、少なくとも第１銀隠蔽層上に白色の第１白隠蔽層を形成させると共に、少なくとも第２銀隠蔽層上に白色の第２白隠蔽層を形成させる構成とすることにより、隠しパターンを形成したカラーコア層に対して単に特定の色の各層を積層形成させればよく、簡易な工程で透かしでは目視不能で故意的な光照射による透過光で隠しパターンを目視認識させる真贋判定用カードを製造させることができるものである。
【図面の簡単な説明】
【００１３】
【図１】本発明に係る真贋判定用カードの第１実施形態の構成図である。
【図２】図１の真贋判定用カードの製造の工程図である。
【図３】図１の真贋判定用カードの真贋判定の説明図である。
【図４】本発明に係る真贋判定用カードの第２実施形態の断面構成図である。
【図５】本発明に係る真贋判定用カードの他の実施形態の断面構成図である。
【発明を実施するための形態】
【００１４】
以下、本発明の実施形態を図により説明する。
図１に、本発明に係る真贋判定用カードの第１実施形態の構成図を示す。図１（Ａ）は真贋判定用カードの断面図、図１（Ｂ）はその層構成を示した図である。図１（Ａ）、（Ｂ）において、真贋判定用カード１１は、カラーコア層１２が全体的に有色の樹脂を主成分として例えば厚さ５６０μｍのものであり、例えばポリエチレンテレフタレート（ＰＥＴ）、ポリ塩化ビニル（ＰＶＣ）、ポリエチレンテレフタレートグリコール（ＰＥＴ−Ｇ）、ポリカーボネート（ＰＣ）などの公知の不透明な赤色の樹脂が使用される。この実施形態では赤色のＰＶＣを使用する。なお、全体的に有色とは樹脂自体が色を有しているもので、色としては原色の色が好ましい。
【００１５】
上記カラーコア層１２の一方面の所定位置には、当該カラーコア層１２の色と異なる色（例えば黒色）の隠しパターン１３が、例えばインキで印刷により厚さ２μｍ以下で設けられている。隠しパターン１３は、文字、数字、記号、マークの何れかであって真贋判定用のものであり、個人情報に関するものであってもよい。なお、カラーコア層１２にＩＣチップ等を搭載させてもよい。
【００１６】
上記カラーコア層１２上であって、上記隠しパターン１３が形成された面上に、少なくとも当該隠しパターン１３を覆う位置に銀色の第１銀隠蔽層１４Ａが、例えば公知の銀色のインキで印刷により、例えば厚さ２μｍで設けられる。ここでは、当該隠しパターン１３を覆うように上記カラーコア層１２の全面に設けられることとするが、隠しパターン１３の領域を覆い、他の部分のカラーコア層１２を露出させることとしてもよい（このことは、後述の第２銀隠蔽層１４Ｂも同様である）。
【００１７】
一方、上記カラーコア層１２の他方面上であって、少なくとも上記隠しパターン１３に対応した位置に上記同様の種類の銀色の第２銀隠蔽層１４Ｂが厚さ２μｍで設けられる。ここでは、当該カラーコア層１２の他方面の全面に設けられる。
【００１８】
上記第１銀隠蔽層１４Ａ上であり、当該第１銀隠蔽層１４Ａを覆うように白色の第１白隠蔽層１５Ａが、例えば公知の白色の印刷インキにより、例えば厚さ２μｍで設けられる。
【００１９】
一方、上記第２銀隠蔽層１４Ｂ上であり、当該第２銀隠蔽層１４Ｂを覆うように白色の第２白隠蔽層１５Ｂが、例えば公知の白色の印刷インキにより、例えば厚さ２μｍで設けられる。なお、上記第１白隠蔽層１５Ａ及び第２白隠蔽層１５Ｂ上には適宜絵柄や文字情報等を、例えば印刷により設けてもよい。
【００２０】
上記第１白隠蔽層１５Ａ上に第１保護層１６Ａが例えば厚さ１００μｍで設けられると共に、第２白隠蔽層１５Ｂ上に第２保護層１６Ｂが例えば厚さ１００μｍで設けられる。当該第１保護層１６Ａ及び第２保護層１６Ｂは、例えばＰＥＴ、ＰＶＣ、ＰＥＴ−Ｇ、ＰＣなどの透明な公知の樹脂が使用される。この実施形態ではＰＶＣを使用する。
【００２１】
ところで、上記第１保護層１６Ａ及び第２保護層１６Ｂはカード保護のために設けられるが、ここにレーザ光で文字情報や図柄等を形成させることもできる。この場合の素材としては、例えばベース樹脂となるＰＶＣ、ＰＥＴ−Ｇ、ＰＣにレーザ光吸収材としてレーザ光を吸収して発色する発色材を含有させたものが使用される。当該発色材としては、酸化インジウムスズ（ＩＴＯ）、酸化チタン化合物が挙げられる。これらは公知のものである。
【００２２】
また、上記第１保護層１６Ａ及び第２保護層１６Ｂに文字情報や図柄等を形成させる場合として、熱刺激により形成させることもできる。この場合の素材としては、例えばベース樹脂となるＰＥＴに熱印加で発色する感熱発色材を含ませたものを適用してもよい。感熱発色材としては、例えば、ロイコ色素、顕色剤及びバインダを含んで構成される。上記ロイコ色素は、公知のもので、例えば、フタリド化合物、アザフタリド化合物、フルオラン化合物などが挙げられる。また、顕色剤は、ロイコ色素と組み合わせて使用される公知のもので、例えば、フェノール化合物などが挙げられる。また、バインダは、透明、半透明であり、反応不活性の性質を有し、乾燥後に十分な強度とされるもので、例えば、ポリビニルアルコール（ＰＶＡ）系、ウレタン系、スチレン系、アクリル系などが挙げられる。これらは公知のものである。
【００２３】
さらに、上記第１保護層１６Ａ及び第２保護層１６Ｂに文字情報や図柄等を形成させる場合として、熱転写により形成させることもできるものである。
【００２４】
続いて、図２に、図１の真贋判定用カードの製造の工程図を示す。ここでは、図１の真贋判定用カード１１の構造の製造方法として説明する。図２において、まず、図２（Ａ）に示すように、上記カラーコア層１２上の一方面の所定位置に当該カラーコア層１２の色（赤色）と異なる色（黒色）の隠しパターン１３が例えば印刷により形成される。
【００２５】
上記カラーコア層１２上の一方面の隠しパターン１３を覆う全面に、図２（Ｂ）に示すように、銀色のインキを用いて印刷により例えば２μｍの厚さで第１銀隠蔽層１４Ａを形成すると共に、図２（Ｃ）に示すように、当該カラーコア層１２の他方面上の隠しパターン１３に対応する位置を含むものとしての全面に第１銀隠蔽層１４Ａと同様に銀色のインキを用いて印刷により例えば２μｍの厚さで第２銀隠蔽層１４Ｂを形成する。
【００２６】
続いて、図２（Ｄ）に示すように、第１銀隠蔽層１４Ａ上に白色の印刷インキを用いて印刷により例えば２μｍの厚さで第１白隠蔽層１５Ａを形成すると共に、図２（Ｅ）に示すように、第２銀隠蔽層１４Ｂ上に白色の印刷インキを用いて印刷により例えば２μｍの厚さで第２白隠蔽層１５Ｂを形成する。
【００２７】
そして、図２（Ｆ）に示すように、第１白隠蔽層１５Ａ上に上記第１保護層１６Ａが例えば接着により形成される。接着剤は樹脂材を接着するためのものとして公知のもので十分である。また、図２（Ｇ）に示すように、第２白隠蔽層１５Ｂ上に上記第２保護層１６Ｂが上記同様の接着剤を用いて接着により形成されるものである。
【００２８】
そこで、図３に、図１の真贋判定用カードの真贋判定の説明図を示す。図１に示す真贋判定用カード１１は、第１銀隠蔽層１４Ａ及び第２銀隠蔽層１４Ｂにより、通常の外光にさらして透かした場合では隠しパターン１３は目視不能である（図３（Ｂ）上段参照）。そこで、図３（Ａ）に示すように、真贋判定用カード１１の裏面（カラーコア層１２上に隠しパターン１３が形成された面とは反対の面）より、照射光源２１より照射光２１Ａで故意的に光照射させ、当該真贋判定用カード１１の表面側から目視させる。この場合の照射強度は、例えばスマートホンに備えられている照明光の強度を目安とする。
【００２９】
上記照射光２１により、図３（Ｂ）下段に示すように、その透過光で隠しパターン１３が出現し、目視で認識されるものである。
【００３０】
すなわち、銀色の第１銀隠蔽層１４Ａ及び第２銀隠蔽層１４Ｂが隠しパターン１３に対して通常の透かしでは目視不能とさせ、故意的な光照射の透過光で目視認識させることができ、偽造困難とさせ、かつ高いセキュリティ性を保持させることができるものである。また、カラーコア層１２を有色としていることから、意匠性が高く、また、側面より目視認識されることから簡易な真贋判定をさせることができるものである。
【００３１】
また、隠しパターン１３を形成したカラーコア層１２に対して少なくとも第１銀隠蔽層１４Ａ及び第２銀隠蔽層１４Ｂ、並びに、第１白隠蔽層１５Ａ及び第２白隠蔽層１５Ｂを単に特定の色の各層として積層形成させればよく、簡易な工程で透かしでは目視不能で故意的な光照射による透過光で隠しパターン１３を目視認識させる真贋判定用カード１１を製造させることができるものである。
【００３２】
次に、図４に、本発明に係る真贋判定用カードの第２実施形態の断面構成図を示す。図４に示す真贋判定用カード１１は、図１に示す真贋判定用カード１１の第１保護層１６Ａ及び第２保護層１６Ｂに使用される樹脂層に替えて、コート剤で第１保護層１７Ａ及び第２保護層１７Ｂで構成したもので、他の構成は図１と同様である。この場合、強度を確保するために、カラーコア層１２の厚みを７６０μｍとしている。
【００３３】
上記コート剤は、公知のもので、印刷により例えば厚さ２μｍで形成されたものである。なお、コート剤が使用される第１保護層１７Ａ及び第２保護層１７Ｂ上に熱転写により文字情報や図柄等を形成させることもできるものである。
【００３４】
上記のように、コート剤を使用した第１保護層１７Ａ及び第２保護層１７Ｂとすることにより、図１に示す樹脂層の第１保護層１６Ａ及び第２保護層１６Ｂを使用した場合に比べてカード全体を薄くすることができるものである。
【００３５】
次に、図５に、本発明に係る真贋判定用カードの他の実施形態の断面構成図を示す。図５（Ａ）は図１に示す真贋判定用カード１１の他の実施形態であり、図５（Ｂ）は図４に示す真贋判定用カード１１の他の実施形態である。
【００３６】
上記図１及び図４に示す真贋判定用カード１１は、隠しパターン１３をカラーコア層１２の一方面に形成した場合を示したが、図５（Ａ）、（Ｂ）に示す真贋判定用カード１１では、加えて当該カラーコア層１２の他方面の所定位置に別の若しくは同じ隠しパターン１３Ａを設けたものである。
【００３７】
図５（Ａ）、（Ｂ）に示す真贋判定用カード１１は、カードの何れの面からの故意的な光照射でも何れかの隠しパターン１３，１３Ａを目視認識させることで真贋判定を行わせることができるものである。
【産業上の利用可能性】
【００３８】
本発明の真贋判定用カード及びその製造方法は、真贋判定用の隠しパターンが形成されたカードの製造、使用、販売等の産業に利用可能である。
【符号の説明】
【００３９】
１１            真贋判定用カード
１２            カラーコア層
１３，１３Ａ    隠しパターン
１４Ａ          第１銀隠蔽層
１４Ｂ          第２銀隠蔽層
１５Ａ          第１白隠蔽層
１５Ｂ          第２白隠蔽層
１６Ａ，１７Ａ  第１保護層
１６Ｂ，１７Ｂ  第２保護層
２１            照射光源
２１Ａ          照射光
【図１】
2020157541.tif 000003
【図２】
2020157541.tif 000004
【図３】
2020157541.tif 000005
【図４】
2020157541.tif 000006
【図５】
2020157541.tif 000007